(57)【要約】【課題】使用者が電源ボタンを誤操作した場合でも、食器類の洗浄品質を保証しつつ、使用者になるべく無駄な負担をかけないように、食器洗い機の運転が中断された後に実行される運転動作について工夫すること。【解決手段】電源スイッチと、運転動作を制御する制御部(20)を備え、上記電源スイッチをオンすることにより電源を投入し、上記制御部に格納した運転プログラムにしたがって、食器類の洗い、すすぎ、乾燥を自動的に実行する食器洗い機を前提として、  上記制御部は、運転動作の進捗状態を記憶する不揮発性メモリ(30)と、  運転動作中に上記電源スイッチがオフされたとき、運転動作を中断する運転中断手段と、  運転動作が中断された後、上記電源スイッチがオンされたとき、運転動作を再開する運転再開手段を備えて成り、  上記運転再開手段は、運転動作の中断後、所定時間以内に電源スイッチがオンされた場合に限り、中断した運転動作から継続して運転を再開することである。【選択図】図１
2010088595.tif 000002
【特許請求の範囲】
【請求項１】
電源スイッチと、運転動作を制御する制御部を備え、
上記電源スイッチをオンすることにより電源を投入し、上記制御部に格納した運転プログラムにしたがって、食器類の洗い、すすぎ、乾燥を自動的に実行する食器洗い機において、
上記制御部は、運転動作の進捗状態を記憶する不揮発性メモリと、
運転動作中に上記電源スイッチがオフされたとき、運転動作を中断する運転中断手段と、
運転動作が中断された後、上記電源スイッチがオンされたとき、運転動作を再開する運転再開手段を備えて成り、
上記運転再開手段は、運転動作の中断後、所定時間以内に電源スイッチがオンされた場合に限り、中断した運転動作から継続して運転を再開することを特徴とする食器洗い機。
【請求項２】
上記不揮発性メモリに記憶する運転動作と、運転再開時に実行する運転動作は、「運転行程」を単位とすることを特徴とする請求項１に記載の食器洗い機。
【請求項３】
上記不揮発性メモリに記憶する運転動作と、運転再開時に実行する運転動作は、「運転行程」を細分化した「行程動作」を単位とすることを特徴とする請求項１に記載の食器洗い機。
【請求項４】
運転動作が中断された後、運転を再開するときに実行される運転動作を報知することを特徴とする請求項２又は請求項３に記載の食器洗い機。
【発明の詳細な説明】
【技術分野】
【０００１】
本発明は、食器や調理器具等（以下、食器類という）の洗い、すすぎ、乾燥等の一連の運転行程を実行する食器洗い機に関し、特に、電源ボタンの誤操作により運転途中で電源スイッチをオフして運転動作が中断した場合でも、中断した運転動作から継続して運転を行うことができる食器洗い機に関する。
【背景技術】
【０００２】
従来の一般的な食器洗い機について、図４に示すビルトインタイプの引き出し式食器洗い機を例にとって説明する。
図４(ａ）に示すように、食器洗い機の本体１には、前面の扉２により引き出し可能な洗浄槽３と、この洗浄槽３に給水する給水電磁弁５を備える給水管２１と、該洗浄槽３内の洗浄水を排水する排水管２２を設けている。
上記洗浄槽３には、食器類を収納する食器カゴ４と、洗浄水を噴射する回転ノズル（噴射ノズル）６と、洗浄水を加圧する洗浄・排水ポンプ７（洗浄運転時は「洗浄ポンプ７ａ」、排水運転時は「排水ポンプ７ｂ」となる。）と、洗浄水や空気を加熱するヒーター８と、洗浄槽３内の温度を検出するサーミスター９と、洗浄槽３内の水位を検知する水位検知器１１と、洗浄槽３内に空気を送り込む乾燥ファン１２と、洗浄槽３内の空気を排出する排気口１９を設けている。
なお、符号１４は残菜フィルター１３を有する水溜めであり、符号２３、２４は、排水管２２に設けた排水トラップと逆止弁である。
【０００３】
上記洗浄槽３の扉２には操作表示パネル１８と制御部２０を設けており、この操作表示パネル１８には、電源ボタン１５、スタート／一時停止ボタン１６、コース選択ボタン１７等を備える操作部２８と、コース表示部１７ａ、残り時間／予約時間表示部２９等の運転状態を表示する表示部２７を設けている。
上記制御部２０は、図４(ｂ)に示すように、ＣＰＵ、ＲＡＭ、ＲＯＭ、及びタイマー等を有する制御手段２５と、各種の負荷を駆動する負荷駆動回路２６を備えている。この制御手段２５は、操作部２８、水位検知器１１、サーミスター９、及び各種センサー等からの入力信号を受けて、表示部２７と負荷駆動回路２６へ制御信号を出力して、洗浄・排水ポンプ７、給水電磁弁５、ヒーター８、及び乾燥ファン１２を駆動することにより食器洗い機の運転を制御する。
【０００４】
このような従来の食器洗い機により食器類を洗う場合は、図５(ａ)に示すように、先ず、電源ボタン１５を押して電源スイッチをオンした後（ステップＳ５１）、洗浄槽３を本体１から引き出して食器類をセットする等の準備をする。次に、コース選択ボタン１７により希望する運転コースを選択し（ステップＳ５２）、洗浄槽３を押し込んだ後、スタート／一時停止ボタン１６を押してスタートスイッチをオンする（ステップＳ５３）と運転が開始され、選択した運転コースの運転プログラムにしたがって運転行程（ステップＳ５４〜Ｓ５７）が実行される。
運転コースとして「標準コース」が選択された場合は、食器類を洗浄する「洗い行程」（ステップＳ５４）、食器類を水ですすぐ「すすぎ行程」（ステップＳ５５）、食器類をお湯ですすぐ「加熱すすぎ行程」（ステップＳ５６）、及び濡れた食器類を乾燥する「乾燥行程」（ステップＳ５７）が順次自動的に実行された後、電源がオフされて（ステップＳ５８）運転が終了する。
【０００５】
このように運転行程が実行されているときに、電源ボタン１５が使用者により誤って押されると、電源がオフされて食器洗い機の運転が停止する。その結果、運転行程のうち実行中の行程で運転動作が中断される。
このとき、使用者が電源ボタン１５を誤操作したことに気付き、食器洗い機の運転を再開させるために、電源ボタン１５を再び押して電源スイッチをオンすると、制御手段２５（マイクロコンピュータ）の内部が初期化され初期状態に戻る。そうすると、制御手段２５は、運転停止前に実行していた運転行程とは無関係に、プログラムの最初から実行して「洗い行程」から運転を再開し、全ての運転行程を終了した後に運転を完了する。〔例えば、特開平２−２８８０１号公報（機器の制御装置）の「従来技術」や「課題」に関する説明を参照。〕
【０００６】
一方、電源ボタンの誤操作によるものではないが、停電等による電力の供給停止により食器洗い機の運転が中断され、その後、停電が復旧したような場合に、停電直前に実行していた運転行程から運転を再開することが、例えば、特開平１１−１６９５８５号公報に記載されているように、既に行われている。
【特許文献１】特開平２−２８８０１号公報
【発明の開示】
【発明が解決しようとする課題】
【０００７】
上記のように、電源ボタンの誤操作に気付き再び電源ボタンを押したとき、初期状態に戻り運転を再開してプログラムを最初から実行する従来の食器洗い機では、「洗い行程」から運転行程の中断時点まで、全く同じ動作が繰り返し実行されることになるので、電力、水、洗剤、及び時間等が浪費され使用者に負担をかけることになる。
例えば、図５(ｂ)に示すように、「加熱すすぎ行程」（ステップＳ５６）を実行している時に使用者が誤って電源ボタンを押した場合は、実線の矢印で示すように「加熱すすぎ行程」の動作が中断される。このとき、使用者が再び電源ボタンを押すと、点線の矢印で示すように運転が最初から再開されるため、「洗い行程」（ステップＳ５４）から「加熱すすぎ行程」（ステップＳ５６）の中断時点までは、全く同じ動作が繰り返されることになり、この「洗い行程」中の最初の排水動作によって洗浄槽内のお湯は全て捨てられることになる。その結果、１回目の「洗い行程」から「加熱すすぎ行程」の中断時までに使用した電力、水、洗剤、時間等は全て無駄となり、使用者に少なからず負担をかけることになる。
【０００８】
そこで、本発明の課題は、上記のような問題を解決するために、使用者が電源ボタンを誤操作した場合でも、食器類の洗浄品質を保証しつつ、使用者になるべく無駄な負担をかけないように、食器洗い機の運転が中断された後に実行される運転動作について工夫することである。
【課題を解決するための手段】
【０００９】
上記課題を解決するための手段は、運転動作中にその運転動作が中断されたとき、食器類の洗浄品質が保証できる場合に限り、中断された運転動作から継続して運転を再開させることを基本とするものである。
(１) 本発明に係る食器洗い機（請求項１に対応）は、電源スイッチと、運転動作を制御する制御部を備え、上記電源スイッチをオンすることにより電源を投入し、上記制御部に格納した運転プログラムにしたがって、食器類の洗い、すすぎ、乾燥を自動的に実行するものを前提として、
上記制御部は、運転動作の進捗状態を記憶する不揮発性メモリと、
運転動作中に上記電源スイッチがオフされたとき、運転動作を中断する運転中断手段と、
運転動作が中断された後、上記電源スイッチがオンされたとき、運転動作を再開する運転再開手段を備えて成り、
上記運転再開手段は、運転動作の中断後、所定時間以内に電源スイッチがオンされた場合に限り、中断した運転動作から継続して運転を再開することである。
【００１０】
このように構成されることによって、使用者が食器洗い機の運転動作中に誤って電源ボタンを押すと、電源スイッチがオフされて運転動作が中断される。中断された運転動作を続行させるために、使用者が再び電源ボタンを押して電源スイッチをオンすると、食器洗い機の運転動作は再開されるが、運転動作が中断されてから所定時間以内に電源スイッチがオンされた場合に限って、上記中断された運転動作から継続して残りの運転動作を実行することができる。
上記制御部に設けられた不揮発性メモリには、運転動作の進捗状態が記憶されるため、電源スイッチがオフされた場合でも中断された運転動作を確定することができるので、確実に中断された運転動作から継続して運転を再開することができる。
また、食器類の洗浄品質の低下は、食器類に洗浄水や汚れ（残菜等）が付着し乾燥することにより生じるので、運転動作が中断されてから再開されるまでの経過時間により大きな影響を受ける。そこで、この経過時間の長さによって洗浄品質の低下の有無を判断することができる。
【００１１】
したがって、使用者が誤って電源ボタンを押して運転動作が中断された後、再び電源ボタンを押して運転動作を再開させた場合でも、繰り返して実行される運転動作が少なくなり、電力、水、洗剤、時間等の無駄を低減することができるばかりでなく、運転所要時間があまり長くなることがなく、ほぼ予定した時間に食器類を取り出すことができるので、使用者にかかる負担を軽減することが可能である。
また、運転動作が中断されてから再開されるまでの経過時間が所定時間以内であって、食器類の洗浄品質が低下しない場合に限り、中断された運転動作から継続して残りの運転動作を実行するので、食器類の洗浄品質を損なうことなく、使用者にかかる負担を軽減することができる。
【００１２】
(２) また、上記(１)の食器洗い機において、不揮発性メモリに記憶する運転動作と、運転再開時に実行する運転動作は、「運転行程」を単位とすることができる。（請求項２に対応）
このような構成によれば、中断された運転動作を、「運転行程」を単位として確定することができると共に、その確定された「運転行程」から継続して運転動作を実行することができるので、繰り返して実行される運転動作が少なくなり、電力、水、洗剤、時間等の無駄を低減することができる。
【００１３】
(３) また、上記(１)の食器洗い機において、不揮発性メモリに記憶する運転動作と、運転再開時に実行する運転動作は、「運転行程」を細分化した「行程動作」を単位とすることができる。（請求項３に対応）
このような構成によれば、中断された運転動作を、「行程動作」を単位として確定することができると共に、その確定された「行程動作」から継続して運転動作を実行することができるので、繰り返して実行される運転動作が一層少なくなり、電力、水、洗剤、時間等の無駄をさらに低減することができる。
【００１４】
(４) また、上記(２)又は(３)の食器洗い機において、運転動作が中断された後、運転を再開するときに実行される運転動作を報知することができる。（請求項４に対応）
このような構成によれば、使用者は運転を再開するときに実行される運転動作を確認して運転動作の再開をすることができる。
【発明の効果】
【００１５】
本発明による特有の効果を整理すれば、次のとおりである。
使用者が誤って電源ボタンを押して運転動作が中断された後、再び電源ボタンを押して運転動作を再開させた場合でも、中断された運転動作から継続して残りの運転動作を実行させるので、繰り返して実行される運転動作を少なくすることができ、電力、水、洗剤、時間等の無駄を低減することが可能であり、使用者の負担を軽減することができる。
また、運転動作が中断されてから再開されるまでの経過時間が所定時間以内であって、食器類の洗浄品質が低下しない場合に限り、中断された運転動作から継続して残りの運転動作を実行するので、食器類の洗浄品質を損なうことなく、使用者にかかる負担を軽減することができる。
さらに、中断された運転動作を、「運転行程」を細分化した「行程動作」を単位として確定すると共に、その確定された「行程動作」から継続して運転動作を実行するので、繰り返して実行される運転動作を一層少なくすることが可能であり、電力、水、洗剤、時間等の無駄をさらに低減することができる。
【発明を実施するための最良の形態】
【００１６】
本発明の食器洗い機は、従来の一般的な食器洗い機において、運転中に誤って電源ボタンを押して運転動作を中断させた場合に、その運転動作を続行させるために再び電源ボタンを押したとき、食器類の洗浄品質を保証できる場合に限り、中断した運転動作から運転を再開させて、残りの運転動作を継続して実行することができるように改良したものである。
以下に、本発明に係るの食器洗い機の実施例１及び実施例２について、図１〜図３−２を参照しながら説明する。
【実施例１】
【００１７】
最初に、本発明の実施例１による食器洗い機について説明する。
〔食器洗い機の構成〕
先ず、本実施例１の食器洗い機の構成について、図１を参照しながら説明する。図１(ａ)は食器洗い機における洗浄槽の扉部分の斜視図であり、図１(ｂ)は制御部のブロック図である。
この実施例１による食器洗い機の構成は、制御部２０と表示部２７の一部を除いて、図４に示した従来の食器洗い機と共通するので、この実施例１に関する説明では、構成の異なる制御部と表示部を中心に説明することとして、共通する部分については図４と同じ符号を用いて、その説明を省略する。
【００１８】
本実施例１の食器洗い機における制御部２０の制御手段２５には、図１(ｂ)に示されているように、従来の食器洗い機と同様にＣＰＵ、ＲＡＭ、ＲＯＭ、及びタイマー等が設けられている他に、食器洗い機の運転中に実行された「洗い行程」、「すすぎ行程」等の運転行程を記憶する不揮発性メモリ３０が設けられている。また、同じく食器洗い機における扉２に設けた操作表示パネル１８の表示部２７には、従来の食器洗い機と同様にコース表示部１７ａや残り時間／予約時間表示部２９等が設けられている他に、実行中の運転行程を表示する運転行程表示ランプ３１が設けられている（図１(ａ)を参照）。
【００１９】
〔食器洗い機の運転動作〕
次に、本実施例１の食器洗い機の運転動作について、運転コースに「標準コース」を選択した場合を例にとって、図２−１及び図２−２を参照しながら説明する。図２−１は食器洗い機の運転動作を説明するフロー図であり、図２−２は食器洗い機の運転中に電源スイッチがオフされる場合の運転動作を説明するフロー図である。
【００２０】
（食器洗い機の通常の運転動作）
先ず、食器洗い機の通常の運転動作（食器洗い機の運転中に電源ボタンが押されない場合の運転動作）について説明する。
図２−１に示されているように、使用者が電源ボタン１５を押して電源スイッチをオンした後（ステップＳ１）、洗浄槽３を本体１から引き出し食器類を食器カゴ４内にセットして準備をする。次に、コース選択ボタン１７により希望する運転コース（例えば、「標準コース」）を選択して（ステップＳ２）、洗浄槽３を押し込んだ後、スタート／一時停止ボタン１６を押してスタートスイッチをオンする（ステップＳ３）と、「標準コース」の運転プログラムにしたがって「洗い行程」が開始される。
【００２１】
「洗い行程」の運転が開始されると、それを不揮発性メモリ３０に書き込むと同時に、運転行程表示ランプ３１の「洗い行程」表示ランプを点灯する（ステップＳ４）。この「洗い行程」では、排水(１)、給水(１)、洗い、及び排水(２)の各動作が順次実行され（ステップＳ５〜Ｓ８）、最後の排水(２)の動作が終了すると、「洗い行程」の終了を不揮発性メモリ３０に書き込むと同時に、運転行程表示ランプ３１の「洗い行程」表示ランプを消灯して（ステップＳ９）、「洗い行程」を全て終了する。
【００２２】
「洗い行程」（ステップＳ４〜Ｓ９）が終了すると、「標準コース」の運転プログラムにしたがって「すすぎ行程」が開始される。この「すすぎ行程」では２回のすすぎが行われるが、先ず、運転行程表示ランプ３１の「すすぎ行程」表示ランプが点灯された後（ステップＳ１０）、給水(２)、すすぎ(１)、及び排水(３)の各動作が順次実行され（ステップＳ１１〜Ｓ１３）、最後の排水(３)の動作が終了すると、「すすぎ(１)行程」の終了を不揮発性メモリ３０に書き込む（ステップＳ１４）。さらに続いて、給水(３)、すすぎ(２)、及び排水(４)の各動作が順次実行され（ステップＳ１５〜Ｓ１７）、最後の排水(４)の動作が終了すると、「すすぎ(２)行程」の終了を不揮発性メモリ３０に書き込むと同時に、運転行程表示ランプ３１の「すすぎ行程」表示ランプを消灯して（ステップＳ１８）、「すすぎ行程」を全て終了する。
【００２３】
「すすぎ行程」（ステップＳ１０〜Ｓ１８）が終了すると、運転プログラムにしたがって「加熱すすぎ行程」が開始される。この「加熱すすぎ行程」では、運転行程表示ランプ３１の「加熱すすぎ行程」表示ランプが点灯された後（ステップＳ１９）、給水(４)、加熱すすぎ、及び排水(５)の各動作が順次実行され（ステップＳ２０〜Ｓ２２）、最後の排水(５)の動作が終了すると、「加熱すすぎ行程」の終了を不揮発性メモリ３０に書き込むと同時に、運転行程表示ランプ３１の「加熱すすぎ行程」表示ランプを消灯して（ステップＳ２３）、「加熱すすぎ行程」を全て終了する。
【００２４】
上記「加熱すすぎ行程」（ステップＳ１９〜Ｓ２３）が終了すると、運転プログラムにしたがって「乾燥行程」が開始される。この「乾燥行程」では、運転行程表示ランプ３１の「乾燥行程」表示ランプが点灯される（ステップＳ２４）と共に、乾燥が実行される（ステップＳ２５）。この乾燥が終了すると、不揮発性メモリ３０に書き込まれた「運転行程」を全てクリアすると同時に、運転行程表示ランプ３１の「乾燥行程」表示ランプを消灯し（ステップＳ２６）、さらに電源をオフして「標準コース」の運転を完了する（ステップＳ２７）。
【００２５】
（食器洗い機の運転中に誤って電源ボタンが押される場合の運転動作）
次に、食器洗い機の運転中に使用者が誤って電源ボタンを押す場合の運転動作について、図２−２を参照しながら説明する。
使用者がスタート／一時停止ボタン１６を押すことによりスタートスイッチがオンされて（ステップＳ３１、図２−１のステップＳ３）、食器洗い機の運転行程（図２−１のステップＳ４〜Ｓ２６）が開始される。この運転行程が開始されると、その運転行程の実行中に、使用者により電源ボタン１５が押されて電源スイッチがオフされるかどうかの監視が行われる（ステップＳ３２、Ｓ４０）。運転行程が全て終了するまでに電源ボタン１５が押されることがなければ、監視は終了する（ステップＳ４１）。
【００２６】
食器洗い機の運転行程が実行されている時、使用者により電源ボタン１５が押されると、電源スイッチがオフされて食器洗い機の運転が中止され、実行中の運転行程が中断される（ステップＳ３２、Ｓ３３）。このとき、洗浄槽３の開閉がなされたかどうか、又は電源スイッチがオンされたかどうかについて判断される（ステップＳ３４、Ｓ３５）。
上記ステップＳ３４において、例えば、使用者が入れ忘れた食器類を追加するために洗浄槽３の開閉が行われ、次に電源スイッチがオンされた場合は（ステップＳ３４、Ｓ４２）、図２−１の「Ｂ」へ戻りステップＳ２の「運転コースの選択」から再開される。
また、上記ステップＳ３５において、使用者が運転を再開させるために電源スイッチをオンすると、上記運転行程が中断されてからの経過時間が所定時間以内かどうかについて判断される（ステップＳ３６）。この経過時間が所定時間以内であれば次のステップＳ３７へ進み、所定時間を超えていれば図２−１の「Ｂ」へ戻り、ステップＳ２の「運転コースの選択」から再開される。
【００２７】
上記運転行程が中断されてからの経過時間が長くなると、洗浄中の食器類に付着した洗浄液や残菜等の汚れが乾燥してこびり付き、再度洗っても落ちにくくなるため、食器類の洗浄品質に大きな影響を与える。この食器類の洗浄品質に最も影響を及ぼすのは、洗浄水に洗剤が溶かされ、且つ多くの汚れが混入される「洗い行程」中に運転が中断される場合である。
そこで、「洗い行程」において、食器類に付着した洗浄液や残菜等が乾燥してこびり付くことがない経過時間（例えば、１分間）を所定時間と決定する必要がある。
【００２８】
上記ステップＳ３６での経過時間が所定時間以内であって、ステップＳ３７へ進んだ場合は、運転が中断される前に不揮発性メモリ３０に書き込まれた「運転行程」に基づいて、継続運転を再開する場合の「運転行程」を決定すると共に、その「運転行程」の表示ランプを点滅させることにより、継続運転の再開時に実行する「運転行程」を使用者に報知する。
その後、使用者がスタートスイッチをオンすれば（ステップＳ３８）、上記ステップＳ３７で決定された「運転行程」から継続運転が再開される（ステップＳ３９）。
【００２９】
上記ステップＳ３７〜Ｓ３９について、図２−１及び図２−２を参照しながら、具体的に説明する。
例えば、従来技術を説明する図５(ｂ)の場合と同様に、「加熱すすぎ行程」（図２−１のステップＳ１９〜Ｓ２３）の実行中に電源スイッチがオフされて運転が中断された場合は、図２−１のステップＳ１８に示されているように、不揮発性メモリ３０には「すすぎ(２)行程」の終了は書き込まれているが、「加熱すすぎ行程」の終了は記憶されていない。その結果、この場合の運転の中断は、「加熱すすぎ行程」の実行中に発生したものと決定されて、「加熱すすぎ行程」の表示ランプを点滅させることにより、継続運転を再開する場合には「加熱すすぎ行程」から実行することを使用者に報知する（ステップＳ３７）。
次に、使用者がスタートスイッチをオンすれば（ステップＳ３８）、上記ステップＳ３７で決定した「加熱すすぎ行程」から継続運転を再開するように、図２−１の「Ｃ４」へ戻りステップＳ１９以降の運転動作を実行する（ステップＳ３９）。
【００３０】
以上のように、実施例１による食器洗い機によれば、使用者が誤って電源ボタンを押して運転動作が中断された場合でも、所定時間以内に再び電源ボタンを押して運転動作を再開させることにより、繰り返し実行される運転動作は中断した「運転行程」の一部であるから、電力、水、洗剤、時間等の無駄を低減することができ、運転所要時間もあまり長くなることがなく、また食器類の洗浄品質も低下することはない。
【実施例２】
【００３１】
次に、本発明の実施例２による食器洗い機について説明する。
上記実施例１による食器洗い機では、電力、水、時間等を節約することができるが、その運転動作が中断された場合に、「洗い行程」、「すすぎ(１)行程」等の運転行程を単位として継続運転を再開するため（図２−１を参照）、継続運転を再開したとき、その運転行程の最初からその中断時点までの運転動作は繰り返し実行されることになるので、従来の食器洗い機ほど多くはないが、電力や水等が浪費されることになる。
本実施例２による食器洗い機は、上記実施例１のものをさらに改良したものであり、食器洗い機の運転動作が中断された場合に、運転行程を単位として継続運転を再開するのではなく、それぞれの運転行程をさらに細分化した「排水(１)」、「給水(１)」、「洗い」（図２−１のステップＳ５〜Ｓ７を参照）等の「行程動作」（各運転行程において実行されるそれぞれの運転動作）を単位として継続運転を再開することができるようにしたものである。
【００３２】
〔食器洗い機の構成及び運転動作〕
本実施例２による食器洗い機の構成及び運転動作について、図１、図３−１及び図３−２を参照しながら説明する。図３−１は、図２−１に示した食器洗い機の運転動作を細分化したフロー図であり、「洗い行程」を例にとって示したものである。また、図３−２は、食器洗い機の運転中に電源スイッチがオフされる場合の運転動作を説明するフロー図である。
この実施例２による食器洗い機の構成は、上記図１に示した実施例１のものと共通するので、その説明は省略する。また、同じく食器洗い機の運転動作については、上記図２−１及び図２−２に示した実施例１のものと基本的に同じであるが、各運転行程をさらに「行程動作」に細分化している点で異なっているので、「洗い行程」を例にとって説明する。
【００３３】
（食器洗い機の通常の運転動作）
先ず、食器洗い機の通常の運転動作（食器洗い機の運転中に使用者によって電源ボタンが押されることのない運転動作）について説明する。
図３−１に示されているように、使用者が電源ボタン１５を押し電源スイッチをオンすると共に、食器カゴ４内に食器類をセットして準備をした後、希望する運転コース、例えば「標準コース」を選択して（図２−１のステップＳ１〜Ｓ２を参照）、スタート／一時停止ボタン１６を押してスタートスイッチをオンすると（ステップＳ３）、「標準コース」の運転プログラムにしたがって「洗い行程」（ステップＳ４’〜Ｓ９’）が実行される。
【００３４】
「洗い行程」の運転が開始されると、「排水(１)動作」の開始を不揮発性メモリ３０に書き込むと同時に、運転行程表示ランプ３１の「洗い行程」表示ランプを点灯する（ステップＳ４’）。この「排水(１)動作」では、排水ポンプ７ｂを駆動することにより排水(１)を開始し（ステップＳ５ａ）、排水を所定時間継続した後（ステップＳ５ｂ）、排水(１)を停止して「排水(１)動作」の終了を不揮発性メモリ３０に書き込む（ステップＳ５ｃ）。
上記「排水(１)動作」（ステップＳ４’〜Ｓ５ｃ）が終了すると、運転プログラムにしたがって「給水(１)動作」が開始される。この「給水(１)動作」では、給水電磁弁５を開き給水(１)を開始し（ステップＳ６ａ）、洗浄槽３内の水が規定水位になれば（ステップＳ６ｂ）、給水(１)を停止して「給水(１)動作」の終了を不揮発性メモリ３０に書き込む（ステップＳ６ｃ）。
【００３５】
上記「給水(１)動作」（ステップＳ６ａ〜Ｓ６ｃ）が終了すると、運転プログラムにしたがって「洗い動作」が開始される。この「洗い動作」では、洗浄ポンプ７ａを駆動することにより洗いを開始し（ステップＳ７ａ）、洗いを所定時間継続した後（ステップＳ７ｂ）、洗いを停止して「洗い動作」の終了を不揮発性メモリ３０に書き込む（ステップＳ７ｃ）。
上記「洗い動作」（ステップＳ７ａ〜Ｓ７ｃ）が終了すると、運転プログラムにしたがって「排水(２)動作」が開始される。この「排水(２)動作」では、排水ポンプ７ｂを駆動することにより排水(２)を開始し（ステップＳ８ａ）、排水を所定時間継続した後（ステップＳ８ｂ）、排水(２)を停止する（ステップＳ８ｃ）。そして、「排水(２)動作」の終了を不揮発性メモリ３０に書き込むと同時に、「洗い行程」表示ランプを消灯する（ステップＳ９’）。
【００３６】
上記「排水(２)動作」（ステップＳ８ａ〜Ｓ９’）の終わりにより「洗い行程」（ステップＳ４’〜Ｓ９’）が終了すると、「標準コース」の運転プログラムにしたがって「すすぎ行程」（ステップＳ１０〜）や「加熱すすぎ行程」等が順次実行される。これらの各「運転行程」においても、上記「洗い行程」の場合と同様に、それぞれの「行程動作」に細分化されており、その「行程動作」を終了したとき、それを不揮発性メモリ３０に書き込むことができる。
また、それぞれの「運転行程」や「行程動作」が、経過時間によって制御される場合には、その「運転行程」や「行程動作」の開始時点から中断される時点までの経過時間を不揮発性メモリ３０に記憶するようにすれば、その「運転行程」や「行程動作」の運転が中断した時点から継続して運転を再開することも可能である。
【００３７】
（食器洗い機の運転中に誤って電源ボタンが押される場合の運転動作）
次に、食器洗い機の運転中に使用者が誤って電源ボタンを押す場合の運転動作について、図３−２を参照しながら説明する。図３−２は、ステップＳ３７ａ〜Ｓ３９ａを除き、図２−２と同じである。
使用者が、食器洗い機の運転中に誤って電源ボタンを押す場合の運転動作については、上記実施例１の運転動作（図２−２を参照）と基本的に同じであるが、運転が中断されその後運転が継続して再開されるとき、「運転行程」をさらに細分化した「行程動作」を特定して継続運転を実行する点において異なるものである。
【００３８】
使用者によりスタート／一時停止ボタン１６が押されて運転行程が開始されてから、実行中の運転行程での運転動作が中断され、この運転動作の中断時からの経過時間について判断されるまでは（ステップＳ３１〜Ｓ３６、Ｓ４０〜Ｓ４２）、上記実施例１の運転動作と同じであるので、その説明は省略する。
上記ステップＳ３６において、経過時間が所定時間以内であればステップＳ３７ａへ進み、運転動作が中断される前に不揮発性メモリ３０に書き込まれた「行程動作」に基づいて、継続運転を再開する場合の「行程動作」を決定すると共に、その「行程動作」に対応する運転行程表示ランプを点滅させることにより、継続運転の再開時に実行する「運転行程」を使用者に報知する。なお、運転行程表示ランプ３１の表示区分を細かくすることにより、継続運転の再開時に実行する「行程動作」を表示することも可能である。
その後、使用者がスタートスイッチをオンすれば（ステップＳ３８ａ）、上記ステップＳ３７ａで決定された「行程動作」から継続運転が再開される（ステップＳ３９ａ）。
【００３９】
上記ステップＳ３７ａ〜Ｓ３９ａについて、図３−１及び図３−２を参照しながら、具体的に説明する。
例えば、「洗い行程」における「洗い動作」（図３−１のステップＳ７ａ〜Ｓ７ｃ）の実行中に電源スイッチがオフされて運転動作が中断された場合は、図３−１のステップＳ６ｃに示されているように、不揮発性メモリ３０には「給水(１)動作」の終了は書き込まれているが、「洗い動作」の終了は記憶されていない。その結果、この場合の運転動作の中断は、「洗い動作」の実行中に発生したものと決定されて、「洗い動作」に対応する「洗い行程」表示ランプを点滅させることにより、継続運転を再開する場合には「洗い行程」から実行することを使用者に報知する（ステップＳ３７ａ）。
次に、使用者がスタートスイッチをオンすれば（ステップＳ３８ａ）、上記ステップＳ３７ａで決定した「洗い動作」から継続運転を再開するように、図３−１の「Ｅ３」へ戻りステップＳ７ａ以降の運転動作を実行する（ステップＳ３９ａ）。
【００４０】
以上のように、実施例２による食器洗い機によれば、使用者が誤って電源ボタンを押して運転動作が中断された場合でも、所定時間以内に再び電源ボタンを押して運転動作を再開させることにより、繰り返し実行される運転動作は中断した「行程動作」の一部であるから、電力、水、洗剤、時間等の無駄をさらに低減することができ、運転所要時間も殆ど長くなることがなく、また食器類の洗浄品質も低下することはない。
【００４１】
上記実施例１〜２の食器洗い機は、ビルトインタイプの引き出し式のものを例に挙げて説明しているが、本発明の食器洗い機はこれに限定されるものではなく、これ以外の卓上タイプ等の食器洗い機も含むものである。
また、上記実施例２の説明では、「洗い行程」を例にとって説明しているが、これ以外の「すすぎ行程」、「加熱すすぎ行程」及び「乾燥行程」においても、同様に各「運転行程」をそれぞれ「行程動作」に細分化して対応することにより、継続運転の再開時に繰り返して実行される運転動作をできる限り少なくして、電力、水、洗剤、時間等の浪費を低減することが可能である。
【図面の簡単な説明】
【００４２】
【図１】は、本発明の実施例１による食器洗い機の模式図であり、(ａ)は洗浄槽の扉部分の斜視図、(ｂ)は制御部のブロック図である。
【図２−１】は、同じく実施例１による食器洗い機において、「標準コース」の運転動作を説明するフロー図である。
【図２−２】は、同じく実施例１による食器洗い機において、「標準コース」の運転中に電源スイッチがオフされる場合の運転動作を説明するフロー図である。
【図３−１】は、本発明の実施例２による食器洗い機において、「標準コース」における「洗い行程」の運転動作を細分化した場合のフロー図である。
【図３−２】は、同じく実施例２による食器洗い機において、「標準コース」の運転中に電源スイッチがオフされる場合の運転動作を説明するフロー図である。
【図４】は、従来の食器洗い機の模式図であり、(ａ)は全体の縦断面図、(ｂ)は制御部のブロック図である。
【図５】は、従来の食器洗い機の運転動作を説明するフロー図であり、(ａ)は通常運転時のフロー図、(ｂ)は「加熱すすぎ行程」の実行中に、電源ボタンを押した場合の運転動作を説明するフロー図である。
【符号の説明】
【００４３】
１…食器洗い機の本体                    ２…扉
３…洗浄槽                              ４…食器カゴ
５…給水電磁弁                          ６…回転ノズル（洗浄ノズル）
７…洗浄・排水ポンプ                    ８…ヒーター
９…サーミスター
１１…水位検知器                        １２…乾燥ファン
１５…電源ボタン                        １６…スタート／一時停止ボタン
１７…コース選択ボタン                  １７ａ…コース表示部
１８…操作表示パネル
２０…制御部                            ２５…制御手段                          ２６…負荷駆動回路                      ２７…表示部
２８…操作部                            ２９…残り時間／予約時間表示部
３０…不揮発性メモリ                    ３１…運転行程表示ランプ
【図１】
2010088595.tif 000003
【図２−１】
2010088595.tif 000004
【図２−２】
2010088595.tif 000005
【図３−１】
2010088595.tif 000006
【図３−２】
2010088595.tif 000007
【図４】
2010088595.tif 000008
【図５】
2010088595.tif 000009